(57)【要約】  光信号の配置に応じてダミー光の配置可能な光伝送装置を提供する。合波部（１）は、周波数グリッドに配置される周波数が異なる複数の光信号が入力され、入力された複数の光信号を合波する。ダミー光出力部（２）は、複数の光信号に基づいて、周波数グリッドに配置するダミー光（Ｄ）を特定して、ダミー光（Ｄ）を出力する。合波部（３）は、合波部（１）で合波された光信号（ＬＣ）と、ダミー光出力部（２）から出力されたダミー光（Ｄ）とを合波して波長多重光信号Ｌを出力する。
2020158190.tif 000002
【特許請求の範囲】
【請求項１】
周波数グリッドに配置される周波数が異なる複数の光信号が入力され、入力された前記複数の光信号を合波する第１の合波部と、
前記複数の光信号に基づいて、前記周波数グリッドに配置する１以上のダミー光を特定し、特定した前記１以上のダミー光を出力するダミー光出力部と、
前記第１の合波部で合波された前記複数の光信号と、前記ダミー光出力部から出力された前記１以上のダミー光とを合波して波長多重光信号を出力する第２の合波部と、を備える、
光伝送装置。
【請求項２】
前記複数の光信号の周波数を示す信号を受け取り、
前記受け取った信号に基づいて、前記１以上のダミー光の周波数を特定する、
請求項１に記載の光伝送装置。
【請求項３】
前記ダミー光出力部を制御可能な制御部を更に備え、
前記制御部は、
前記複数の光信号のそれぞれに対応する前記第１の合波部に設けられたポートを示す情報を受け取り、
前記ポートを示す情報に基づいて、前記複数の光信号の周波数を特定し、
前記複数の光信号の周波数に基づいて、前記１以上のダミー光の周波数を特定し、
特定した周波数を有する前記１以上のダミー光が出力されるように、前記ダミー光出力部を制御する、
請求項１に記載の光伝送装置。
【請求項４】
前記第１の合波部で合波された前記複数の光信号の強度をモニタし、モニタ結果を示す信号を前記制御部へ出力する光モニタ部をさらに備え、
前記制御部は、
前記モニタ結果を示す信号に基づいて、前記第１の合波部で合波された前記複数の光信号の周波数を特定し、
前記複数の光信号の周波数に基づいて、前記１以上のダミー光の周波数を特定し、
特定した周波数を有する前記１以上のダミー光が出力されるように、前記ダミー光出力部を制御する、  
請求項３に記載の光伝送装置。
【請求項５】
前記複数の光信号とは周波数が異なる光信号が前記第１の合波部に追加して入力される場合、前記ダミー光出力部は、追加される光信号の周波数に対応するダミー光を前記１以上のダミー光の中から特定し、特定した前記ダミー光の出力を停止する、
請求項１乃至４のいずれか一項に記載の光伝送装置。
【請求項６】
前記第１の合波部に入力される前記複数の光信号のうちで入力が遮断されるものが有る場合、前記ダミー光出力部は、前記遮断される光信号の周波数に対応するダミー光を特定し、特定した前記ダミー光を新たに出力する、
請求項１乃至５のいずれか一項に記載の光伝送装置。
【請求項７】
前記周波数グリッドには、所定の幅を有する複数の周波数スロットが配置され、
前記複数の周波数スロットのそれぞれには、
１つの光信号及び１つのダミー光のいずれかが配置され、又は、
１以上の光信号と１以上のダミー光とが重複することなく配置される、
請求項１乃至６のいずれか一項に記載の光伝送装置。
【請求項８】
１以上の光送受信器と、
前記１以上の光送受信器から波長が異なる複数の光信号が入力される光伝送装置と、を備え、
前記光伝送装置は、
周波数グリッドに配置される前記複数の光信号が入力され、入力された前記複数の光信号を合波する第１の合波部と、
前記複数の光信号に基づいて、前記周波数グリッドに配置する１以上のダミー光を特定し、特定した前記１以上のダミー光を出力するダミー光出力部と、
前記第１の合波部で合波された前記複数の光信号と、前記ダミー光出力部から出力された前記１以上のダミー光とを合波して波長多重光信号を出力する第２の合波部と、を備える、
端局装置。
【請求項９】
前記複数の光信号の周波数を示す信号を受け取り、
前記受け取った信号に基づいて、前記１以上のダミー光の周波数を特定する、
請求項８に記載の端局装置。
【請求項１０】
前記ダミー光出力部を制御可能な制御部を更に備え、
前記制御部は、
前記複数の光信号のそれぞれに対応する前記第１の合波部に設けられたポートを示す情報を受け取り、
前記ポートを示す情報に基づいて、前記複数の光信号の周波数を特定し、
前記複数の光信号の周波数に基づいて、前記１以上のダミー光の周波数を特定し、
特定した周波数を有する前記１以上のダミー光が出力されるように、前記ダミー光出力部を制御する、
請求項８に記載の端局装置。
【請求項１１】
前記第１の合波部で合波された前記複数の光信号の強度をモニタし、モニタ結果を示す信号を前記制御部へ出力する光モニタ部をさらに備え、
前記制御部は、
前記モニタ結果を示す信号に基づいて、前記第１の合波部で合波された前記複数の光信号の周波数を特定し、
前記複数の光信号の周波数に基づいて、前記１以上のダミー光の周波数を特定し、
特定した周波数を有する前記１以上のダミー光が出力されるように、前記ダミー光出力部を制御する、  
請求項１０に記載の端局装置。
【請求項１２】
前記複数の光信号とは周波数が異なる光信号が前記第１の合波部に追加して入力される場合、前記ダミー光出力部は、追加される光信号の周波数に対応するダミー光を前記１以上のダミー光の中から特定し、特定した前記ダミー光の出力を停止する、
請求項８乃至１１のいずれか一項に記載の端局装置。
【請求項１３】
前記第１の合波部に入力される前記複数の光信号のうちで入力が遮断されるものが有る場合、前記ダミー光出力部は、前記遮断される光信号の周波数に対応するダミー光を特定し、特定した前記ダミー光を新たに出力する、
請求項８乃至１２のいずれか一項に記載の端局装置。
【請求項１４】
前記周波数グリッドには、所定の幅を有する複数の周波数スロットが配置され、
前記複数の周波数スロットのそれぞれには、
１つの光信号及び１つのダミー光のいずれかが配置され、又は、
１以上の光信号と１以上のダミー光とが重複することなく配置される、
請求項８乃至１３のいずれか一項に記載の端局装置。
【請求項１５】
波長多重光信号を出力する第１の端局と、
前記波長多重光信号を受け取る第２の端局と、を備え、
前記第１の端局は、
１以上の光送受信器と、
前記１以上の光送受信器から波長が異なる複数の光信号が入力される光伝送装置と、を備え、
前記光伝送装置は、
周波数グリッドに配置される前記複数の光信号が入力され、入力された前記複数の光信号を合波する第１の合波部と、
前記複数の光信号に基づいて、前記周波数グリッドに配置する１以上のダミー光を特定し、特定した前記１以上のダミー光を出力するダミー光出力部と、
前記第１の合波部で合波された前記複数の光信号と、前記ダミー光出力部から出力された前記１以上のダミー光とを合波して波長多重光信号を出力する第２の合波部と、を備える、
光通信システム。
【請求項１６】
前記複数の光信号の周波数を示す信号を受け取り、
前記受け取った信号に基づいて、前記１以上のダミー光の周波数を特定する、
請求項１５に記載の光通信システム。
【請求項１７】
前記ダミー光出力部を制御可能な制御部を更に備え、
前記制御部は、
前記複数の光信号のそれぞれに対応する前記第１の合波部に設けられたポートを示す情報を受け取り、
前記ポートを示す情報に基づいて、前記複数の光信号の周波数を特定し、
前記複数の光信号の周波数に基づいて、前記１以上のダミー光の周波数を特定し、
特定した周波数を有する前記１以上のダミー光が出力されるように、前記ダミー光出力部を制御する、
請求項１５に記載の光通信システム。
【請求項１８】
前記第１の合波部で合波された前記複数の光信号の強度をモニタし、モニタ結果を示す信号を前記制御部へ出力する光モニタ部をさらに備え、
前記制御部は、
前記モニタ結果を示す信号に基づいて、前記第１の合波部で合波された前記複数の光信号の周波数を特定し、
前記複数の光信号の周波数に基づいて、前記１以上のダミー光の周波数を特定し、
特定した周波数を有する前記１以上のダミー光が出力されるように、前記ダミー光出力部を制御する、  
請求項１７に記載の光通信システム。
【請求項１９】
前記複数の光信号とは周波数が異なる光信号が前記第１の合波部に追加して入力される場合、前記ダミー光出力部は、追加される光信号の周波数に対応するダミー光を前記１以上のダミー光の中から特定し、特定した前記ダミー光の出力を停止する、
請求項１５乃至１８のいずれか一項に記載の光通信システム。
【請求項２０】
前記第１の合波部に入力される前記複数の光信号のうちで入力が遮断されるものが有る場合、前記ダミー光出力部は、前記遮断される光信号の周波数に対応するダミー光を特定し、特定した前記ダミー光を新たに出力する、
請求項１５乃至１９のいずれか一項に記載の光通信システム。
【請求項２１】
前記周波数グリッドには、所定の幅を有する複数の周波数スロットが配置され、
前記複数の周波数スロットのそれぞれには、
１つの光信号及び１つのダミー光のいずれかが配置され、又は、
１以上の光信号と１以上のダミー光とが重複することなく配置される、
請求項１５乃至２０のいずれか一項に記載の光通信システム。
【請求項２２】
周波数グリッドに配置される周波数が異なる複数の光信号を合波し、
前記複数の光信号に基づいて、前記周波数グリッドに配置する１以上のダミー光を特定し、特定した前記１以上のダミー光を出力し、
合波された前記複数の光信号と、前記１以上のダミー光とを合波して波長多重光信号を出力する、
光通信方法。
【請求項２３】
前記複数の光信号の周波数を示す信号を受け取り、
前記受け取った信号に基づいて、前記１以上のダミー光の周波数を特定する、
請求項２２に記載の光通信方法。
【請求項２４】
前記複数の光信号は、合波部によって合波され、
前記複数の光信号のそれぞれに対応する前記合波部に設けられたポートを示す情報を受け取り、
前記ポートを示す情報に基づいて、前記複数の光信号の周波数を特定し、
前記複数の光信号の周波数に基づいて、前記１以上のダミー光の周波数を特定し、
特定した周波数を有する前記１以上のダミー光が出力する、
請求項２２に記載の光通信方法。
【請求項２５】
合波された前記複数の光信号の強度をモニタして、モニタ結果を示す信号を出力し、
前記モニタ結果を示す信号に基づいて、合波された前記複数の光信号の周波数を特定し、
前記複数の光信号の周波数に基づいて、前記１以上のダミー光の周波数を特定し、
特定した周波数を有する前記１以上のダミー光が出力する、  
請求項２４に記載の光通信方法。
【請求項２６】
前記複数の光信号とは周波数が異なる光信号が追加される場合、追加される光信号の周波数に対応するダミー光を前記１以上のダミー光の中から特定し、特定した前記ダミー光の出力を停止する、
請求項２２乃至２５のいずれか一項に記載の光通信方法。
【請求項２７】
前記複数の光信号のうちで遮断されるものが有る場合、前記遮断される光信号の周波数に対応するダミー光を特定して、特定した前記ダミー光を新たに出力する、
請求項２２乃至２６のいずれか一項に記載の光通信方法。
【請求項２８】
前記周波数グリッドには、所定の幅を有する複数の周波数スロットが配置され、
前記複数の周波数スロットのそれぞれには、
１つの光信号及び１つのダミー光のいずれかが配置され、又は、
１以上の光信号と１以上のダミー光とが重複することなく配置される、
請求項２２乃至２７のいずれか一項に記載の光通信方法。
【発明の詳細な説明】
【技術分野】
【０００１】
本発明は、光伝送装置、端局装置、光通信システム及び光通信方法に関する。
【背景技術】
【０００２】
海底光ケーブルシステムでは、陸上の端局に設けられた光伝送装置が、海底光ケーブルを介して波長多重光信号の伝送を行う。海底光ケーブルを介した伝送による光損失を補償するため、一般に、海底光ケーブルには複数の光増幅器が挿入される。【０００３】
送信側の端局から出力される波長多重光信号には、受信端局宛てのデータが重畳された光信号（主信号）と、光信号の有無に応じて波長多重光信号の強度を補償するために挿入されるダミー光とが含まれる。ダミー光は光信号の有無に応じて、その強度が制御される。波長多重光信号に光信号が追加されるときには、追加される光信号の強度に応じてダミー光の強度が減少するよう制御される。また、追加される光信号がと重複する波長にダミー光が配置されている場合には、当該ダミー光が遮断されるように制御される。【０００４】
ダミー光を制御する手法として、サブバンドごとに、単一の広帯域(バンド幅)のダミー光又は複数の狭帯域(チャネル幅)のダミー光を用いる光伝送装置が提案されている（特許文献１）。この光伝送装置では、狭帯域の複数のダミー光が用いられているサブバンドに新たな光信号を挿入する際には、そのサブバンド内の複数のダミー光の強度を調整することで、波長多重光信号の強度を一定に保っている。
【先行技術文献】
【特許文献】
【０００５】
【特許文献１】特開２０１４−１８７６７１号公報
【発明の概要】
【発明が解決しようとする課題】
【０００６】
ダミー光を制御する場合、光信号の配置、すなわち周波数分布に応じてダミー光の周波数を決定することが望ましい。しかし、近年、システムの運用開始後に光信号の配置を任意に設定することが求められている。つまり、システムの運用開始後に光信号の追加や除去などが行われることで光信号の配置が変化する場合に、これに応じてダミー光を配置する手法の確立が求められている。【０００７】
しかしながら、特許文献１では、運用開始後における光信号の配置の変化に応じてダミー光を配置することはそもそも想定されていない。【０００８】
本発明は、上記の事情に鑑みて成されたものであり、光信号の配置に応じてダミー光の配置可能な光伝送装置を提供することを目的とする。
【課題を解決するための手段】
【０００９】
本発明の一態様である光伝送装置は、周波数グリッドに配置される周波数が異なる複数の光信号が入力され、入力された前記複数の光信号を合波する第１の合波部と、前記複数の光信号に基づいて、前記周波数グリッドに配置する１以上のダミー光を特定し、特定した前記１以上のダミー光を出力するダミー光出力部と、前記第１の合波部で合波された前記複数の光信号と、前記ダミー光出力部から出力された前記１以上のダミー光とを合波して波長多重光信号を出力する第２の合波部と、を有するものである。【００１０】
本発明の一態様である端局装置は、１以上の光送受信器と、前記１以上の光送受信器から波長が異なる複数の光信号が入力される光伝送装置と、を有し、前記光伝送装置は、周波数グリッドに配置される前記複数の光信号が入力され、入力された前記複数の光信号を合波する第１の合波部と、前記複数の光信号に基づいて、前記周波数グリッドに配置する１以上のダミー光を特定し、特定した前記１以上のダミー光を出力するダミー光出力部と、前記第１の合波部で合波された前記複数の光信号と、前記ダミー光出力部から出力された前記１以上のダミー光とを合波して波長多重光信号を出力する第２の合波部と、を有するものである。【００１１】
本発明の一態様である光通信システムは、波長多重光信号を出力する第１の端局と、
前記波長多重光信号を受け取る第２の端局と、を有し、前記第１の端局は、１以上の光送受信器と、前記１以上の光送受信器から波長が異なる複数の光信号が入力される光伝送装置と、を有し、前記光伝送装置は、周波数グリッドに配置される前記複数の光信号が入力され、入力された前記複数の光信号を合波する第１の合波部と、前記複数の光信号に基づいて、前記周波数グリッドに配置する１以上のダミー光を特定し、特定した前記１以上のダミー光を出力するダミー光出力部と、前記第１の合波部で合波された前記複数の光信号と、前記ダミー光出力部から出力された前記１以上のダミー光とを合波して波長多重光信号を出力する第２の合波部と、を有するものである。【００１２】
本発明の一態様である光通信方法は、周波数グリッドに配置される周波数が異なる複数の光信号を合波し、前記複数の光信号に基づいて、前記周波数グリッドに配置する１以上のダミー光を特定し、特定した前記１以上のダミー光を出力し、合波された前記複数の光信号と、前記１以上のダミー光とを合波して波長多重光信号を出力するものである。
【発明の効果】
【００１３】
本発明によれば、光信号の配置に応じてダミー光の配置可能な光伝送装置を提供することができる。
【図面の簡単な説明】
【００１４】
【図１】実施の形態１にかかる光伝送装置を含む光通信システムの基本構成を示す図である。
【図２】実施の形態１にかかる端局の構成について模式的に示す図である。
【図３】周波数グリッドの例を示す図である。
【図４】周波数グリッドに配置される光信号及びダミー光の例を示す図である。
【図５】１つの周波数スロットに複数の光信号と複数のダミー光とを配置する例を示す図である。
【図６】実施の形態１にかかる光伝送装置の構成を模式的に示す図である。
【図７】実施の形態１にかかる光伝送装置の構成をより詳細に示す図である。
【図８】実施の形態１にかかる光伝送装置の動作を示すフローチャートである。
【図９】波長多重光信号に含まれる光信号の配置を示す図である。
【図１０】選択されたダミー光の配置を示す図である。
【図１１】実施の形態１にかかる光伝送装置の動作を示すフローチャートである。
【図１２】追加される光信号を示す図である。
【図１３】遮断されるダミー光を示す図である。
【図１４】光信号が追加された後の波長多重光信号を示す図である。
【図１５】実施の形態１にかかる光伝送装置の動作を示すフローチャートである。
【図１６】除去される光信号を示す図である。
【図１７】追加されたダミー光を示す図である。
【図１８】光信号が除去された後の波長多重光信号を示す図である。
【図１９】実施の形態２にかかる光伝送装置の構成を模式的に示す図である。
【図２０】実施の形態３にかかる光伝送装置の構成を模式的に示す図である。
【図２１】実施の形態３にかかる光伝送装置の動作を示すフローチャートである。
【発明を実施するための形態】
【００１５】
以下、図面を参照して本発明の実施の形態について説明する。各図面においては、同一要素には同一の符号が付されており、必要に応じて重複説明は省略される。
【００１６】
実施の形態１
実施の形態１にかかる光伝送装置１００について説明する。図１に、実施の形態１にかかる光伝送装置１００を含む光通信システム１０００の基本構成を示す。ここでは、光伝送装置１００は、海底光ネットワークを構成する光通信システム１０００に含まれる陸上の端局に設置されるものとして説明する。
【００１７】
図１に、実施の形態１にかかる光通信システム１０００の構成例を模式的に示す。この例では、光通信システム１０００は、端局ＴＳ１及びＴＳ２、光増幅器ＡＭＰ、光ファイバＦ及び管理サーバ１００１を有する。端局ＴＳ１及びＴＳ２は、それぞれ陸上に設置されている端局である。端局ＴＳ１は、光伝送装置１００を有している。
【００１８】
管理サーバ１００１は、通知信号ＩＮＦを与えることで、端局ＴＳ１及び光伝送装置１００の動作を制御可能に構成される。
【００１９】
端局ＴＳ１と端局ＴＳ２との間は、陸上又は海底に設置された、光信号を伝送する光ファイバＦを内包する伝送路によって接続されている。ここでは、端局ＴＳ１（第１の端局）から端局ＴＳ２（第２の端局）へ光信号を伝送する伝送路を、伝送路ＴＬ１とする。端局ＴＳ２から端局ＴＳ１へ光信号を伝送する伝送路を、伝送路ＴＬ２とする。なお、伝送路ＴＬ１及びＴＬ２には、光信号をＡＤＤ／ＤＲＯＰする海底光分岐装置などの他の装置が必要に応じて挿入されてもよい。
【００２０】
伝送路ＴＬ１及びＴＬ２のそれぞれには、光信号を増幅する１つ以上の光増幅器ＡＭＰが挿入される。
【００２１】
本実施の形態では、端局ＴＳ１からは、伝送路ＴＬ１を介して、波長多重光信号Ｌ（第１の波長多重光信号）が、端局ＴＳ２へ出力される。波長多重光信号Ｌは、伝送対象である１以上の波長（チャネル）の光信号が波長多重されている。端局ＴＳ２からは、伝送路ＴＬ２を介して、波長多重光信号ＬＬ（第２の波長多重光信号）が、端局ＴＳ１へ出力される。
【００２２】
次いで、本実施の形態にかかる端局ＴＳ１の構成について説明する。端局ＴＳ１は、一般的な端局と同様に、光伝送装置及び複数の光送受信器を有する。図２に、実施の形態１にかかる端局ＴＳ１の構成について模式的に示す。図２では、端局ＴＳ１に設けられた光伝送装置１００に、光送受信器ＴＰＤ１１、ＴＰＤ１２、ＴＰＤ２１及びＴＰＤ２２が接続される例を示している。本構成では、光伝送装置１００と光送受信器ＴＰＤ１１、ＴＰＤ１２、ＴＰＤ２１及びＴＰＤ２２とが、端局ＴＳ１内に設けられる端局装置ＴＡを構成している。
【００２３】
光送受信器ＴＰＤ１１、ＴＰＤ１２、ＴＰＤ２１及びＴＰＤ２２は、光伝送装置１００と例えば光ファイバで接続されており、光伝送装置１００を介して他の端局などとの間で光信号のやり取りを行うことができる。端局に設けられる複数の光送受信器は、同一の光送受信器である必要は無く、異なる機能を有する光送受信器やベンダが異なる光送受信器を適宜用いることができる。
【００２４】
この例では、光送受信器ＴＰＤ１１、ＴＰＤ１２、ＴＰＤ２１及びＴＰＤ２２は、それぞれ光信号Ｌ１１、Ｌ１２、Ｌ２１及びＬ２２を、光伝送装置１００へ出力する。ここで、光信号Ｌ１１、Ｌ１２、Ｌ２１及びＬ２２のそれぞれは、１以上の周波数の光信号を含んでいる。
【００２５】
光伝送装置１００は、光信号Ｌ１１、Ｌ１２、Ｌ２１及びＬ２２を合波し、かつ、合波した光信号に更にダミー光を合波することで、波長多重光信号Ｌを生成する。また、光伝送装置１００は、光伝送装置１００は、波長多重光信号Ｌを、伝送路ＴＬ１へ出力する。
【００２６】
本構成では、光送受信器ＴＰＤ１１及びＴＰＤ１２は波長多重光信号Ｌに含まれる周波数グリッドＧ１に対応するものであり、光送受信器ＴＰＤ２１及びＴＰＤ２２は周波数グリッドＧ２に対応するものである。よって、光信号Ｌ１１及びＬ１２は周波数グリッドＧ１に対応する光信号であり、光信号Ｌ２１及びＬ２２は周波数グリッドＧ２に対応する光信号である。なお、周波数グリッドについては、後に詳述する。
【００２７】
周波数グリッドＧ１及びＧ２は、それぞれ異なるユーザに割り当てることも可能である。この場合、各ユーザは、割り当てられた周波数グリッドの範囲内で、必要に応じて光信号を挿入し、又は、光信号を除去することができる。
【００２８】
ここで、波長多重光信号Ｌに含まれる光信号及びダミー光について具体的に説明する。波長多重光信号Ｌには、一般に複数の周波数グリッドが設定されている。ここでいう周波数グリッドとは、ＩＴＵ−Ｔ勧告Ｇ６９４．１に規定されるように、光信号のチャネルとして使用可能な複数の中心周波数のグループを意味するものである。
【００２９】
なお、ここでは、説明の明確化のため、「帯域幅」は下限値と上限値との間の周波数帯又は波長帯の幅を示すものとし、「帯域」は所定の中心波長を中心とする所定の「帯域幅」又は上限値と下限値との間の「帯域幅」を有する周波数又は波長の範囲示すものとする。換言すれば、「帯域幅」は数値を以て定量的に定義可能なものであり、「帯域」は例えば第１の帯域や第２の帯域のように、異なる位置に設定された所定の「帯域幅」を有する周波数又は波長の範囲を識別するために用いられる。
【００３０】
図３に、周波数グリッドの例を示す。図３では、例として、周波数グリッドＧＡと、周波数グリッドＧＡよりも高周波数側の周波数グリッドＧＢとを示した。この例では、図を見やすくするため、周波数グリッドＧＡと周波数グリッドＧＢとの間に間隙が有るが、周波数グリッドＧＡと周波数グリッドＧＢとは接していてもよいことは言うまでもない。また、例えば、周波数グリッドＧＡと周波数グリッドＧＢとの間にいずれにも属さない帯域がある場合、当該帯域にガードバンドを配置してもよい。
【００３１】
周波数グリッドＧＡは、光信号のチャネルとして使用可能なｍ個（ｍは、正の整数）中心周波数ｆＡ１〜ｆＡｍを含んでいる。周波数グリッドＧＡには、中心周波数ｆＡ１〜ｆＡｍを中心とする帯域幅ＷＡの周波数スロットＳＡ１〜ＳＡｍがそれぞれ設けられている。周波数グリッドＧＢは、光信号のチャネルとして使用可能なｎ個（ｎは、正の整数）の中心周波数ｆＢ１〜ｆＢｎを含んでいる。周波数グリッドＧＢには、中心周波数ｆＢ１〜ｆＢｎを中心とする帯域幅ＷＢの周波数スロットＳＢ１〜ＳＢｎがそれぞれ設けられている。周波数スロットは、ＩＴＵ−Ｔ勧告Ｇ６９４．１に規定されるように、互いに重複する帯域（周波数範囲）が存在しないように設けられる。なお、周波数スロットの帯域幅を、以下ではスロット幅と称する。
【００３２】
周波数スロットＳＡ１〜ＳＡｍのスロット幅ＷＡと周波数スロットＳＢ１〜ＳＢｎのスロット幅ＷＢとは、同じであってもよいし、異なっていてもよい。例えば、スロット幅ＷＡ及びスロット幅ＷＢは同じ５０ＧＨｚであってもよいし、スロット幅ＷＡが５０ＧＨｚ、スロット幅ＷＢが３７．５ＧＨｚであってもよい。
【００３３】
次いで、周波数グリッドに配置される光信号及びダミー光について説明する。図４に、図３に示す周波数グリッドに配置される光信号及びダミー光の例を示す。この例では、１つの周波数スロットに１つの光信号又は１つのダミー光が配置され、同じ周波数スロットに配置される光信号とダミー光とは同じ帯域幅を有する。
【００３４】
この例では、周波数グリッドＧＡでは、周波数スロットＳＡ２に光信号ＬＡ２が配置され、周波数スロットＳＡ１、ＳＡ３及びＳＡｍにダミー光ＤＡ１、ＤＡ３及びＤＡｍが配置されている。なお、周波数スロットＳＡ４〜ＳＡ（ｍ−１）については表示を省略しているが、これらのスロットのそれぞれにも光信号又はダミー光が配置されている。
【００３５】
周波数グリッドＧＢでは、周波数スロットＳＢ１及びＳＢ３に光信号ＬＢ１及びＬＢ３が配置され、周波数スロットＳＢ２及びＳＢｎにダミー光ＤＢ２及びＤＢｎが配置されている。なお、周波数スロットＳＢ４〜ＳＢ（ｎ−１）については表示を省略しているが、これらのスロットのそれぞれにも光信号又はダミー光が配置されている。
【００３６】
図４に示す光信号及びダミー光の配置は例示に過ぎず、必要に応じて光信号の数、ダミー光の数、光信号及びダミー光の配置は適宜変更できることは言うまでもない。
【００３７】
また、ここでは１つの周波数スロットに１つの光信号又は１つのダミー光が配置される例について説明したが、複数の光信号と複数の光信号とを配置してもよい。図５に、１つの周波数スロットＳＡ１に複数の光信号と複数のダミー光とを配置する例を示す。周波数スロットＳＡ１には、例えば、低周波数側から８つのチャネルが設定される。ここでは、各チャネルの帯域幅はＷＡＣである。
【００３８】
１番目、３番目及び６番目のチャネルには、それぞれダミー光ＤＡ１＿１、ＤＡ１＿３及びＤＡ１＿６が配置される。２番目、４番目、５番目、７番目及び８番目のチャネルには、それぞれ光信号ＬＡ１＿２、ＬＡ１＿４、ＬＡ１＿５、ＬＡ１＿７及びＬＡ１＿８が配置される。このように、１つの周波数スロットに複数のチャネルを設定し、各チャネルに必要に応じて光信号又はダミー光を配置することができる。
【００３９】
次いで、実施の形態１にかかる光伝送装置１００について説明する。図６に、実施の形態１にかかる光伝送装置１００の構成を模式的に示す。図７に、実施の形態１にかかる光伝送装置１００の構成をより詳細に示す。光伝送装置１００は、合波部１、ダミー光出力部２及び合波部３を有する。光伝送装置１００には、光信号Ｌ１１、Ｌ１２、Ｌ２１及びＬ２２が入力される。
【００４０】
合波部１（第１の合波部）は、合波器１１〜１３を有する。合波器１１〜１３は、例えば波長選択スイッチ（ＷＳＳ：Wavelength Selective Switch）として構成される。
【００４１】
合波器１１は、周波数グリッドＧ１に対応する光信号Ｌ１１及びＬ１２を合波し、合波した光信号Ｌ１０を合波器１３へ出力する。
【００４２】
合波器１２は、周波数グリッドＧ２に対応する光信号Ｌ２１及びＬ２２を合波し、合波した光信号Ｌ２０を合波器１３へ出力する。
【００４３】
合波器１３は、光信号Ｌ１０と光信号Ｌ２０とを合波し、合波した光信号ＬＣを合波部３へ出力する。
【００４４】
ダミー光出力部２は、ダミー光源２１及び周波数選択部２２を有する。ダミー光源２１は、所定の周波数範囲の光ＤＬを出力する。周波数選択部２２は、所定の周波数範囲の光から、ダミー光として出力する複数の帯域の光を選択し、選択したものをダミー光として出力する。例えば、周波数選択部２２は、波長選択スイッチ（ＷＳＳ：Wavelength Selective Switch）として構成されてもよい。図６及び７では、ダミー光出力部２から出力されるダミー光をまとめて符号Ｄで示している。
【００４５】
合波部３（第２の合波部）は、光信号ＬＣとダミー光Ｄとを合波し、波長多重光信号Ｌを伝送路ＴＬ１へ出力する。合波部３は、例えば光カプラとして構成される。
【００４６】
次いで、光伝送装置１００の動作について説明する。ここでは、図４で説明した周波数グリッドに基づいて説明する。よって、例えば、図４の光信号ＬＡ２は、図２、図６及び図７等で説明した光信号Ｌ１１及びＬ１２のいずれかに対応してもよい。また、例えば、図４の光信号ＬＢ１及びＬＢ３は、それぞれ、図２、図６及び図７等で説明した光信号Ｌ２１及びＬ２２のいずれかに対応してもよい。
【００４７】
図８は、実施の形態１にかかる光伝送装置１００の動作を示すフローチャートである。管理サーバ１００１は、光伝送装置１００に対して、各周波数グリッドに含まれる光信号を通知する通知信号ＩＮＦを出力する。この通知信号ＩＮＦには、例えば、光信号の中心周波数を示す情報が含まれる。
【００４８】
通知信号ＩＮＦには、波長グリッドを示す情報、他例えば、波長グリッドを構成する中心周波数を示す情報、波長グリッドを構成するスロットの帯域幅の情報及び波長グリッドが設けられる帯域の一部又は全部が含まれていてもよい。
【００４９】
管理サーバ１００１は、光信号の中心周波数や波長グリッドを示す情報を外部から格納可能であり、格納された情報に基づいて通知信号ＩＮＦを生成してもよい。また、管理サーバ１００１が光送受信器の設定情報（出力波長）を読み取り可能である場合には、読み取った設定情報に基づいて通知信号ＩＮＦを生成してもよい。さらに、管理サーバ１００１が光送受信器に設定情報を入力（書き込み、更新又は変更）可能である場合には、入力した設定情報に基づいて通知信号ＩＮＦを生成してもよい。
【００５０】
図９に、波長多重光信号Ｌに含まれる光信号の配置を示す。すなわち、図９は、合波部１から出力される光信号ＬＣの周波数分布を示している。
【００５１】
ステップＳＡ１１
周波数選択部２２は、通知信号ＩＮＦを受け取る。
【００５２】
ステップＳＡ１２
周波数選択部２２は、通知信号ＩＮＦに基づいて保持しているテーブルＴＡＢ１を参照し、ダミー光源２１からの光ＤＬのうち選択的に出力する周波数を設定する。ここで、光ＤＬのうち選択的に出力する周波数は、波長多重光信号Ｌに含まれる光信号の中心周波数又は周波数グリッドに対応したものとなる。このテーブルＴＡＢ１には、光信号の中心周波数及び周波数グリッドに応じて出力すべきダミー光の中心周波数及び帯域幅が格納されていてもよい。
【００５３】
なお、通知信号ＩＮＦが、周波数選択部２２に対して、光ＤＬのうちから選択的に出力する周波数を直接指示する信号である場合には、テーブルＴＡＢ１を保持している必要はなく、通知信号ＩＮＦに基づいて光ＤＬのうち選択的に出力する周波数を設定してもよい。
【００５４】
図１０に、選択されたダミー光の配置を示す。すなわち、図１０は、周波数選択部２２から出力されるダミー光Ｄの周波数分布を示している。図１０に示すように、周波数グリッドＧＡの帯域に設けられるダミー光と、周波数グリッドＧＢの帯域に設けられるダミー光とではその中心周波数及び帯域幅が異なる。周波数選択部２２は、光ＤＬのうち帯域ＧＡと帯域ＧＢとで異なる中心周波数間隔及び帯域幅を、選択的に出力する周波数として設定する。
【００５５】
ステップＳＡ１３
周波数選択部２２は、光ＤＬのうち選択的に出力するとして設定した周波数のうち、光信号と重複しない周波数をダミー光として出力する。たとえば周波数選択部２２は、光信号が配置されていない周波数スロットを特定し、特定した周波数スロットに対応する中心周波数を選択してダミー光として出力する。なお、周波数選択部２２は、管理サーバ１００１から光信号が配置されていない周波数スロットの情報を取得してもよい。また、光伝送装置１００が図示しない光モニタ部を有し、かつ、光モニタ部が光信号の周波数及び強度をモニタする場合、光モニタ部のモニタ結果に基づいて、光信号が配置されていない周波数スロットを特定するようにしてもよい。
【００５６】
ステップＳＡ１４
合波部３は、図９に示すように配置された光信号ＬＣと、図１０に示すように配置されたダミー光Ｄとを合波する。これにより、図４に示す波長多重光信号Ｌが合波部３から出力される。
【００５７】
以上説明したように、本構成によれば、周波数グリッドの設定に応じて、周波数グリッドに光信号とダミー光とを配置することが可能となる。
【００５８】
次いで、波長多重光信号Ｌに新たな光信号を追加する場合の光伝送装置１００の動作について説明する。図１１は、実施の形態１にかかる光伝送装置１００の動作を示すフローチャートである。この場合、追加される光信号は、光伝送装置１００に新たに接続される光送受信部から出力されてもよいし、光伝送装置１００に既に接続されている光送受信部から追加的に出力されてもよい。
【００５９】
管理サーバ１００１は、新たな光信号が追加されることを通知するため、光伝送装置１００に通知信号ＩＮＦを出力する。このとき、通知信号ＩＮＦは、追加される光信号を含む全ての光信号の中心周波数を示す情報を含んでもよいし、追加される光信号のみの中心周波数を示す情報を含んでもよい。
【００６０】
ステップＳＡ２１
周波数選択部２２は、通知信号ＩＮＦを受け取る。
【００６１】
ステップＳＡ２２
周波数選択部２２は、通知信号ＩＮＦに基づいて保持しているテーブルＴＡＢ１を参照し、追加される光信号の中心周波数に対応する周波数スロットを特定する。図１２に、追加される光信号を示す。図１２では、周波数グリッドＧＡの周波数スロットＳＡ３に中心周波数ｆＡ３の光信号ＬＡ３が追加される例を示している。
【００６２】
ステップＳＡ２３
周波数選択部２２は、周波数スロットＳＡ３に配置されたダミー光ＤＡ３を遮断する。図１３に、遮断されるダミー光ＤＡ３を示す。
【００６３】
ステップＳＡ２４
その後、光信号ＬＡ３が出力されると、波長多重光信号Ｌに光信号ＬＡ３が追加される。図１４に、光信号ＬＡ３が追加された後の波長多重光信号Ｌを示す。
【００６４】
以上、本構成によれば、新たな光信号を追加する場合でも、追加される光信号に対応するダミー光を遮断して、追加される光信号とダミー光との重複を防止することができる。その結果、光伝送装置を端局に設置して運用を開始した後でも、送信する光信号の変化に応じて適切なダミー光を柔軟に出力することができる。
【００６５】
次いで、波長多重光信号Ｌから光信号を除去する場合の光伝送装置１００の動作について説明する。図１５は、実施の形態１にかかる光伝送装置１００の動作を示すフローチャートである。この場合、除去される光信号は、光伝送装置１００から取り外される光送受信部から出力されていた光信号であってもよいし、光伝送装置１００に接続されている光送受信部から出力される中心周波数が異なる複数の光信号に含まれる遮断対象となる光信号であってもよい。
【００６６】
管理サーバ１００１は、波長多重光信号Ｌから光信号が除去されることを通知するため、光伝送装置１００に通知信号ＩＮＦを出力する。このとき、通知信号ＩＮＦは、除去される光信号を以外の光信号の中心周波数を示す情報を含んでもよいし、除去される光信号のみの中心周波数を示す情報を含んでもよい。
【００６７】
ステップＳＡ３１
周波数選択部２２は、通知信号ＩＮＦを受け取る。
【００６８】
ステップＳＡ３２
周波数選択部２２は、通知信号ＩＮＦに基づいて保持しているテーブルＴＡＢ１を参照し、除去される光信号が配置されたスロットを特定する。図１６に、除去される光信号を示す。図１６では、周波数グリッドＧＢの周波数スロットＳＢ１に配置された光信号ＬＢ１が除去される例を示している。
【００６９】
ステップＳＡ３３
周波数選択部２２は、光信号ＬＢ１が遮断された後、周波数スロットＳＢ１に配置されたダミー光ＤＢ１を追加する。図１７に、追加されたダミー光ＤＢ１を示す。
【００７０】
ステップＳＡ３４
これにより、波長多重光信号Ｌから、光信号ＬＢ１が除去され、空いた周波数スロットＳＡ１に対応するダミー光ＤＢ１が追加される。図１８に、光信号ＬＢ１が除去された後の波長多重光信号Ｌを示す。
【００７１】
以上、本構成によれば、波長多重光信号から光信号を除去する場合でも、除去される光信号に対応するダミー光を追加して、波長多重光信号の出力を維持することができる。その結果、光伝送装置を端局に設置して運用を開始した後でも、送信する光信号の変化に応じて適切なダミー光を柔軟に出力することができる。
【００７２】
また、図３及び４を参照して説明した周波数グリッドの数及び幅、周波数グリッドに設けられる周波数スロットの数及び幅は、任意に設定することが可能である。よって、例えば、周波数グリッドや周波数スロットの設定が変更された場合に、図８で説明した動作を行うことで、変更された周波数グリッドや周波数スロットに対応して、光信号及びダミー光を容易に再配置することができる。
【００７３】
実施の形態２
実施の形態２にかかる光伝送装置２００について説明する。図１９に、実施の形態２にかかる光伝送装置２００の構成を模式的に示す。光伝送装置２００は、実施の形態１にかかる光伝送装置１００に、制御部４を追加した構成を有する。
【００７４】
制御部４は、管理サーバ１００１から通知信号ＩＮＦを受け取り、通知信号ＩＮＦに応じて周波数選択部２２は制御信号Ｃ１を出力することで、周波数選択部２２の波長選択動作を制御するように構成される。
【００７５】
本実施の形態では、管理サーバ１００１が制御部４へ出力する通知信号ＩＮＦには、合波部１に含まれる合波器１１〜１３を構成するＷＳＳのポートを指定するポート情報が含まれる。ポート情報とは、各ポートを透過する周波数を示す情報である。
【００７６】
制御部４は、合波器１１〜１３を構成するＷＳＳのポートと光信号との対応関係、又は、ＷＳＳのポートと周波数スロットとの対応関係を示すテーブルＴＡＢ２を保持している。制御部４は、通知信号ＩＮＦが示すポート情報に応じてテーブルＴＡＢ２を参照し、与えられたポート情報に対応する光信号の中心周波数を特定する。そして、制御部４は、光信号の中心周波数を、制御信号Ｃ１によって周波数選択部２２へ通知する。
【００７７】
以上、本構成によれば、実施の形態１にかかる光伝送装置１００と同様に、周波数グリッドの設定に応じて、周波数グリッドに光信号とダミー光とを配置することが可能となる。また、本構成によれば、実施の形態１にかかる光伝送装置１００と同様に光信号の追加及び除去を行うことができることは、言うまでもない。
【００７８】
なお、本構成では、制御部４が合波部１に制御信号を与えることで、合波部１が合波する光信号のそれぞれの強度を調整してもよい。この場合、新たな光信号を追加するときに、遮断するダミー光の強度に基づいて追加する光信号の強度を調整してもよい。
【００７９】
実施の形態３
実施の形態３にかかる光伝送装置３００について説明する。図２０に、実施の形態３にかかる光伝送装置３００の構成を模式的に示す。光伝送装置３００は、実施の形態２にかかる光伝送装置２００に、光モニタ部５を追加した構成を有する。
【００８０】
本構成では、合波部３は、入力された光信号ＬＣの一部を分岐し、分岐した光信号ＬＣの一部を光モニタ部５へ出力する。
【００８１】
図２１に、実施の形態３にかかる光伝送装置３００の動作を示すフローチャートを示す。図２１では、図８のステップＳＡ１１とステップＳ１２との間に、ステップＳＡ４１が追加されている。ステップＳＡ１１〜ステップＳ１４は、図８と同様である。
【００８２】
光モニタ部５は、フォトダイオードなどの受光素子によって入力される光信号ＬＣを検知し、光信号ＬＣに含まれる光信号の周波数と強度とをモニタ可能に構成される。光モニタ部５は、光信号ＬＣのモニタ結果を示すモニタ信号ＭＯＮを、制御部４へ出力する（図２１のステップＳ４１）。
【００８３】
制御部４は、モニタ信号ＭＯＮを参照し、光信号ＬＣに含まれる光信号の中心周波数に対応して、ダミー光の周波数配置を設定することができる（図２１のステップＳ１２）。制御部４は、制御信号Ｃ１により、ダミー光の周波数配置の設定を通知する。
【００８４】
その後、図８と同様に、ステップＳ１３及び１４によって、光信号の配置に応じたダミー光が周波数選択部２２から出力することができる。
【００８５】
本構成によれば、管理サーバ１００１から、光信号の中心周波数や合波部１のポート情報を含む通知信号ＩＮＦを受け取らずとも、自律的に光信号の中心周波数を特定することができる。なお、この場合でも、光信号の中心周波数を特定してダミー光を出力する動作の開始を指示する信号を管理サーバ１００１などの外部の機器から受け取り、受け取った信号に応じて図２１に示す光伝送装置３００の動作を開始してもよい。
【００８６】
その他の実施の形態
なお、本発明は上記実施の形態に限られたものではなく、趣旨を逸脱しない範囲で適宜変更することが可能である。例えば、上述の実施の形態では、説明の簡略化のため、１つのスロットに１つのダミー光及び１つの光信号のいずれかが配置されるものとして説明したが、これは例示に過ぎない。例えば、図５を参照して説明したように、１つの周波数スロットに複数のチャネルを設定し、各チャネルに光信号又はダミー光を配置してもよい。このとき、１つのスロットに１つのダミー光及び１つの光信号のいずれかが配置される場合と同様に、各チャネルの光信号又はダミー光の中心周波数に基づいて、光信号又はダミー光を配置することができる。
【００８７】
上述の実施の形態では、２つの周波数グリッドについて説明したが、波長多重光信号には３つ以上の周波数グリッドが含まれていてもよい。
【００８８】
光伝送装置に接続される光送受信器の数は例示に過ぎず、任意の数の光送受信器を光伝送装置に接続してもよいことは、言うまでもない。
【００８９】
上述の実施の形態では、管理サーバは端局と分離して設けられるものとして説明したが、管理サーバは端局内に設けられる端局内監視装置として設けられてもよい。
【００９０】
図８に示した光伝送装置の動作は、光伝送装置に光送受信器が接続されていない場合や光送受信器が光信号を出力していない場合においても、同様に実行可能である。
【００９１】
上記の実施の形態の一部又は全部は、以下の付記のようにも記載され得るが、以下には限られない。
【００９２】
（付記１）周波数グリッドに配置される周波数が異なる複数の光信号が入力され、入力された前記複数の光信号を合波する第１の合波部と、前記複数の光信号に基づいて、前記周波数グリッドに配置する１以上のダミー光を特定し、特定した前記１以上のダミー光を出力するダミー光出力部と、前記第１の合波部で合波された前記複数の光信号と、前記ダミー光出力部から出力された前記１以上のダミー光とを合波して波長多重光信号を出力する第２の合波部と、を備える、光伝送装置。
【００９３】
（付記２）前記複数の光信号の周波数を示す信号を受け取り、前記受け取った信号に基づいて、前記１以上のダミー光の周波数を特定する、付記１に記載の光伝送装置。
【００９４】
（付記３）前記ダミー光出力部を制御可能な制御部を更に備え、前記制御部は、前記複数の光信号のそれぞれに対応する前記第１の合波部に設けられたポートを示す情報を受け取り、  前記ポートを示す情報に基づいて、前記複数の光信号の周波数を特定し、前記複数の光信号の周波数に基づいて、前記１以上のダミー光の周波数を特定し、特定した周波数を有する前記１以上のダミー光が出力されるように、前記ダミー光出力部を制御する、付記１に記載の光伝送装置。
【００９５】
（付記４）前記第１の合波部で合波された前記複数の光信号の強度をモニタし、モニタ結果を示す信号を前記制御部へ出力する光モニタ部をさらに備え、前記制御部は、前記モニタ結果を示す信号に基づいて、前記第１の合波部で合波された前記複数の光信号の周波数を特定し、前記複数の光信号の周波数に基づいて、前記１以上のダミー光の周波数を特定し、特定した周波数を有する前記１以上のダミー光が出力されるように、前記ダミー光出力部を制御する、付記３に記載の光伝送装置。
【００９６】
（付記５）前記複数の光信号とは周波数が異なる光信号が前記第１の合波部に追加して入力される場合、前記ダミー光出力部は、追加される光信号の周波数に対応するダミー光を前記１以上のダミー光の中から特定し、特定した前記ダミー光の出力を停止する、付記１乃至４のいずれか一つに記載の光伝送装置。
【００９７】
（付記６）前記第１の合波部に入力される前記複数の光信号のうちで入力が遮断されるものが有る場合、前記ダミー光出力部は、前記遮断される光信号の周波数に対応するダミー光を特定し、特定した前記ダミー光を新たに出力する、付記１乃至５のいずれか一つに記載の光伝送装置。
【００９８】
（付記７）前記周波数グリッドには、所定の幅を有する複数の周波数スロットが配置され、前記複数の周波数スロットのそれぞれには、１つの光信号及び１つのダミー光のいずれかが配置され、又は、１以上の光信号と１以上のダミー光とが重複することなく配置される、付記１乃至６のいずれか一つに記載の光伝送装置。
【００９９】
（付記８）１以上の光送受信器と、前記１以上の光送受信器から波長が異なる複数の光信号が入力される光伝送装置と、を備え、前記光伝送装置は、周波数グリッドに配置される前記複数の光信号が入力され、入力された前記複数の光信号を合波する第１の合波部と、前記複数の光信号に基づいて、前記周波数グリッドに配置する１以上のダミー光を特定し、特定した前記１以上のダミー光を出力するダミー光出力部と、前記第１の合波部で合波された前記複数の光信号と、前記ダミー光出力部から出力された前記１以上のダミー光とを合波して波長多重光信号を出力する第２の合波部と、を備える、端局装置。
【０１００】
（付記９）前記複数の光信号の周波数を示す信号を受け取り、前記受け取った信号に基づいて、前記１以上のダミー光の周波数を特定する、付記８に記載の端局装置。
【０１０１】
（付記１０）前記ダミー光出力部を制御可能な制御部を更に備え、前記制御部は、前記複数の光信号のそれぞれに対応する前記第１の合波部に設けられたポートを示す情報を受け取り、前記ポートを示す情報に基づいて、前記複数の光信号の周波数を特定し、前記複数の光信号の周波数に基づいて、前記１以上のダミー光の周波数を特定し、特定した周波数を有する前記１以上のダミー光が出力されるように、前記ダミー光出力部を制御する、付記８に記載の端局装置。
【０１０２】
（付記１１）前記第１の合波部で合波された前記複数の光信号の強度をモニタし、モニタ結果を示す信号を前記制御部へ出力する光モニタ部をさらに備え、前記制御部は、前記モニタ結果を示す信号に基づいて、前記第１の合波部で合波された前記複数の光信号の周波数を特定し、前記複数の光信号の周波数に基づいて、前記１以上のダミー光の周波数を特定し、特定した周波数を有する前記１以上のダミー光が出力されるように、前記ダミー光出力部を制御する、付記１０に記載の端局装置。
【０１０３】
（付記１２）前記複数の光信号とは周波数が異なる光信号が前記第１の合波部に追加して入力される場合、前記ダミー光出力部は、追加される光信号の周波数に対応するダミー光を前記１以上のダミー光の中から特定し、特定した前記ダミー光の出力を停止する、付記８乃至１１のいずれか一つに記載の端局装置。
【０１０４】
（付記１３）前記第１の合波部に入力される前記複数の光信号のうちで入力が遮断されるものが有る場合、前記ダミー光出力部は、前記遮断される光信号の周波数に対応するダミー光を特定し、特定した前記ダミー光を新たに出力する、付記８乃至１２のいずれか一つに記載の端局装置。
【０１０５】
（付記１４）前記周波数グリッドには、所定の幅を有する複数の周波数スロットが配置され、前記複数の周波数スロットのそれぞれには、１つの光信号及び１つのダミー光のいずれかが配置され、又は、１以上の光信号と１以上のダミー光とが重複することなく配置される、付記８乃至１３のいずれか一つに記載の端局装置。
【０１０６】
（付記１５）波長多重光信号を出力する第１の端局と、前記波長多重光信号を受け取る第２の端局と、を備え、前記第１の端局は、１以上の光送受信器と、前記１以上の光送受信器から波長が異なる複数の光信号が入力される光伝送装置と、を備え、前記光伝送装置は、周波数グリッドに配置される前記複数の光信号が入力され、入力された前記複数の光信号を合波する第１の合波部と、前記複数の光信号に基づいて、前記周波数グリッドに配置する１以上のダミー光を特定し、特定した前記１以上のダミー光を出力するダミー光出力部と、前記第１の合波部で合波された前記複数の光信号と、前記ダミー光出力部から出力された前記１以上のダミー光とを合波して波長多重光信号を出力する第２の合波部と、を備える、光通信システム。
【０１０７】
（付記１６）前記複数の光信号の周波数を示す信号を受け取り、前記受け取った信号に基づいて、前記１以上のダミー光の周波数を特定する、付記１５に記載の光通信システム。
【０１０８】
（付記１７）前記ダミー光出力部を制御可能な制御部を更に備え、前記制御部は、前記複数の光信号のそれぞれに対応する前記第１の合波部に設けられたポートを示す情報を受け取り、前記ポートを示す情報に基づいて、前記複数の光信号の周波数を特定し、前記複数の光信号の周波数に基づいて、前記１以上のダミー光の周波数を特定し、特定した周波数を有する前記１以上のダミー光が出力されるように、前記ダミー光出力部を制御する、付記１５に記載の光通信システム。
【０１０９】
（付記１８）前記第１の合波部で合波された前記複数の光信号の強度をモニタし、モニタ結果を示す信号を前記制御部へ出力する光モニタ部をさらに備え、前記制御部は、前記モニタ結果を示す信号に基づいて、前記第１の合波部で合波された前記複数の光信号の周波数を特定し、前記複数の光信号の周波数に基づいて、前記１以上のダミー光の周波数を特定し、特定した周波数を有する前記１以上のダミー光が出力されるように、前記ダミー光出力部を制御する、付記１７に記載の光通信システム。
【０１１０】
（付記１９）前記複数の光信号とは周波数が異なる光信号が前記第１の合波部に追加して入力される場合、前記ダミー光出力部は、追加される光信号の周波数に対応するダミー光を前記１以上のダミー光の中から特定し、特定した前記ダミー光の出力を停止する、付記１５乃至１８のいずれか一つに記載の光通信システム。
【０１１１】
（付記２０）前記第１の合波部に入力される前記複数の光信号のうちで入力が遮断されるものが有る場合、前記ダミー光出力部は、前記遮断される光信号の周波数に対応するダミー光を特定し、特定した前記ダミー光を新たに出力する、付記１５乃至１９のいずれか一つに記載の光通信システム。
【０１１２】
（付記２１）前記周波数グリッドには、所定の幅を有する複数の周波数スロットが配置され、前記複数の周波数スロットのそれぞれには、１つの光信号及び１つのダミー光のいずれかが配置され、又は、１以上の光信号と１以上のダミー光とが重複することなく配置される、付記１５乃至２０のいずれか一つに記載の光通信システム。
【０１１３】
（付記２２）周波数グリッドに配置される周波数が異なる複数の光信号を合波し、前記複数の光信号に基づいて、前記周波数グリッドに配置する１以上のダミー光を特定し、特定した前記１以上のダミー光を出力し、合波された前記複数の光信号と、前記１以上のダミー光とを合波して波長多重光信号を出力する、光通信方法。
【０１１４】
（付記２３）前記複数の光信号の周波数を示す信号を受け取り、前記受け取った信号に基づいて、前記１以上のダミー光の周波数を特定する、付記２２に記載の光通信方法。
【０１１５】
（付記２４）前記複数の光信号は、合波部によって合波され、前記複数の光信号のそれぞれに対応する前記合波部に設けられたポートを示す情報を受け取り、前記ポートを示す情報に基づいて、前記複数の光信号の周波数を特定し、前記複数の光信号の周波数に基づいて、前記１以上のダミー光の周波数を特定し、特定した周波数を有する前記１以上のダミー光が出力する、付記２２に記載の光通信方法。
【０１１６】
（付記２５）合波された前記複数の光信号の強度をモニタして、モニタ結果を示す信号を出力し、前記モニタ結果を示す信号に基づいて、合波された前記複数の光信号の周波数を特定し、前記複数の光信号の周波数に基づいて、前記１以上のダミー光の周波数を特定し、特定した周波数を有する前記１以上のダミー光が出力する、付記２４に記載の光通信方法。
【０１１７】
（付記２６）前記複数の光信号とは周波数が異なる光信号が追加される場合、追加される光信号の周波数に対応するダミー光を前記１以上のダミー光の中から特定し、特定した前記ダミー光の出力を停止する、付記２２乃至２５のいずれか一つに記載の光通信方法。
【０１１８】
（付記２７）前記複数の光信号のうちで遮断されるものが有る場合、前記遮断される光信号の周波数に対応するダミー光を特定して、特定した前記ダミー光を新たに出力する、付記２２乃至２６のいずれか一つに記載の光通信方法。
【０１１９】
（付記２８）前記周波数グリッドには、所定の幅を有する複数の周波数スロットが配置され、前記複数の周波数スロットのそれぞれには、１つの光信号及び１つのダミー光のいずれかが配置され、又は、１以上の光信号と１以上のダミー光とが重複することなく配置される、付記２２乃至２７のいずれか一つに記載の光通信方法。
【０１２０】
以上、実施の形態を参照して本願発明を説明したが、本願発明は上記によって限定されるものではない。本願発明の構成や詳細には、発明のスコープ内で当業者が理解し得る様々な変更をすることができる。
【０１２１】
この出願は、２０１９年１月３１日に出願された日本出願特願２０１９−１６４１６を基礎とする優先権を主張し、その開示の全てをここに取り込む。
【符号の説明】
【０１２２】
１、３  合波部
２  ダミー光出力部
４  制御部
５  光モニタ部
１１−１３  合波器
２１  ダミー光源
２２  周波数選択部
１００、２００、３００  光伝送装置
１０００  光通信システム
１００１  管理サーバ
ＡＭＰ  光増幅器
Ｃ１  制御信号
Ｄ  ダミー光
ＤＬ  光
Ｆ  光ファイバ
Ｇ１、Ｇ２、ＧＡ、ＧＢ  周波数グリッド
ＩＮＦ  通知信号
Ｌ、ＬＬ  波長多重光信号
Ｌ１０−Ｌ１２、Ｌ２０−Ｌ２２、ＬＣ  光信号
ＭＯＮ  モニタ信号
ＴＡ  端局装置
ＴＡＢ１、ＴＡＢ２  テーブル
ＴＬ１、ＴＬ２  伝送路
ＴＰＤ１１、ＴＰＤ１２、ＴＰＤ２１、ＴＰＤ２２  光送受信器
ＴＳ１、ＴＳ２  端局
【図１】
2020158190.tif 000003
【図２】
2020158190.tif 000004
【図３】
2020158190.tif 000005
【図４】
2020158190.tif 000006
【図５】
2020158190.tif 000007
【図６】
2020158190.tif 000008
【図７】
2020158190.tif 000009
【図８】
2020158190.tif 000010
【図９】
2020158190.tif 000011
【図１０】
2020158190.tif 000012
【図１１】
2020158190.tif 000013
【図１２】
2020158190.tif 000014
【図１３】
2020158190.tif 000015
【図１４】
2020158190.tif 000016
【図１５】
2020158190.tif 000017
【図１６】
2020158190.tif 000018
【図１７】
2020158190.tif 000019
【図１８】
2020158190.tif 000020
【図１９】
2020158190.tif 000021
【図２０】
2020158190.tif 000022
【図２１】
2020158190.tif 000023
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
周波数グリッドに配置される周波数が異なる複数の光信号が入力され、入力された前記複数の光信号を合波する第１の合波部と、
前記複数の光信号に基づいて、前記周波数グリッドに配置する１以上のダミー光を特定し、特定した前記１以上のダミー光を出力するダミー光出力部と、
前記第１の合波部で合波された前記複数の光信号と、前記ダミー光出力部から出力された前記１以上のダミー光とを合波して波長多重光信号を出力する第２の合波部と、を備える、
光伝送装置。
【請求項２】
前記複数の光信号の周波数を示す信号を受け取り、
前記受け取った信号に基づいて、前記１以上のダミー光の周波数を特定する、
請求項１に記載の光伝送装置。
【請求項３】
前記ダミー光出力部を制御可能な制御部を更に備え、
前記制御部は、
前記複数の光信号のそれぞれに対応する前記第１の合波部に設けられたポートを示す情報を受け取り、
前記ポートを示す情報に基づいて、前記複数の光信号の周波数を特定し、
前記複数の光信号の周波数に基づいて、前記１以上のダミー光の周波数を特定し、
特定した周波数を有する前記１以上のダミー光が出力されるように、前記ダミー光出力部を制御する、
請求項１に記載の光伝送装置。
【請求項４】
前記第１の合波部で合波された前記複数の光信号の強度をモニタし、モニタ結果を示す信号を前記制御部へ出力する光モニタ部をさらに備え、
前記制御部は、
前記モニタ結果を示す信号に基づいて、前記第１の合波部で合波された前記複数の光信号の周波数を特定し、
前記複数の光信号の周波数に基づいて、前記１以上のダミー光の周波数を特定し、
特定した周波数を有する前記１以上のダミー光が出力されるように、前記ダミー光出力部を制御する、  
請求項３に記載の光伝送装置。
【請求項５】
前記複数の光信号とは周波数が異なる光信号が前記第１の合波部に追加して入力される場合、前記ダミー光出力部は、追加される光信号の周波数に対応するダミー光を前記１以上のダミー光の中から特定し、特定した前記ダミー光の出力を停止する、
請求項１乃至４のいずれか一項に記載の光伝送装置。
【請求項６】
前記第１の合波部に入力される前記複数の光信号のうちで入力が遮断されるものが有る場合、前記ダミー光出力部は、前記遮断される光信号の周波数に対応するダミー光を特定し、特定した前記ダミー光を新たに出力する、
請求項１乃至５のいずれか一項に記載の光伝送装置。
【請求項７】
前記周波数グリッドには、所定の幅を有する複数の周波数スロットが配置され、
前記複数の周波数スロットのそれぞれには、
１つの光信号及び１つのダミー光のいずれかが配置され、又は、
１以上の光信号と１以上のダミー光とが重複することなく配置される、
請求項１乃至６のいずれか一項に記載の光伝送装置。
【請求項８】
１以上の光送受信器と、
前記１以上の光送受信器から波長が異なる複数の光信号が入力される光伝送装置と、を備え、
前記光伝送装置は、
周波数グリッドに配置される前記複数の光信号が入力され、入力された前記複数の光信号を合波する第１の合波部と、
前記複数の光信号に基づいて、前記周波数グリッドに配置する１以上のダミー光を特定し、特定した前記１以上のダミー光を出力するダミー光出力部と、
前記第１の合波部で合波された前記複数の光信号と、前記ダミー光出力部から出力された前記１以上のダミー光とを合波して波長多重光信号を出力する第２の合波部と、を備える、
端局装置。
【請求項９】
波長多重光信号を出力する第１の端局と、
前記波長多重光信号を受け取る第２の端局と、を備え、
前記第１の端局は、
１以上の光送受信器と、
前記１以上の光送受信器から波長が異なる複数の光信号が入力される光伝送装置と、を備え、
前記光伝送装置は、
周波数グリッドに配置される前記複数の光信号が入力され、入力された前記複数の光信号を合波する第１の合波部と、
前記複数の光信号に基づいて、前記周波数グリッドに配置する１以上のダミー光を特定し、特定した前記１以上のダミー光を出力するダミー光出力部と、
前記第１の合波部で合波された前記複数の光信号と、前記ダミー光出力部から出力された前記１以上のダミー光とを合波して波長多重光信号を出力する第２の合波部と、を備える、
光通信システム。
【請求項１０】
周波数グリッドに配置される周波数が異なる複数の光信号を合波し、
前記複数の光信号に基づいて、前記周波数グリッドに配置する１以上のダミー光を特定し、特定した前記１以上のダミー光を出力し、
合波された前記複数の光信号と、前記１以上のダミー光とを合波して波長多重光信号を出力する、
光通信方法。
【手続補正２】
【補正対象書類名】明細書
【補正対象項目名】００３７
【補正方法】変更
【補正の内容】
【００３７】
また、ここでは１つの周波数スロットに１つの光信号又は１つのダミー光が配置される例について説明したが、複数の光信号と複数のダミー光とを配置してもよい。図５に、１つの周波数スロットＳＡ１に複数の光信号と複数のダミー光とを配置する例を示す。周波数スロットＳＡ１には、例えば、低周波数側から８つのチャネルが設定される。ここでは、各チャネルの帯域幅はＷＡＣである。
【手続補正３】
【補正対象書類名】明細書
【補正対象項目名】００７０
【補正方法】変更
【補正の内容】
【００７０】
ステップＳＡ３４
これにより、波長多重光信号Ｌから、光信号ＬＢ１が除去され、空いた周波数スロットＳＢ１に対応するダミー光ＤＢ１が追加される。図１８に、光信号ＬＢ１が除去された後の波長多重光信号Ｌを示す。
【手続補正４】
【補正対象書類名】明細書
【補正対象項目名】００８１
【補正方法】変更
【補正の内容】
【００８１】
図２１に、実施の形態３にかかる光伝送装置３００の動作を示すフローチャートを示す。図２１では、図８のステップＳＡ１１とステップＳＡ１２との間に、ステップＳＡ４１が追加されている。ステップＳＡ１１〜ステップＳＡ１４は、図８と同様である。
【手続補正５】
【補正対象書類名】明細書
【補正対象項目名】００８４
【補正方法】変更
【補正の内容】
【００８４】
その後、図８と同様に、ステップＳＡ１３及びＳＡ１４によって、光信号の配置に応じたダミー光が周波数選択部２２から出力することができる。
【国際調査報告】
2020158190.tif 000024
2020158190.tif 000025
2020158190.tif 000026
2020158190.tif 000027